(57)【要約】【課題】機能性を向上する。【解決手段】紙幣処理装置１は、紙幣ＢＬを排出する第２出金部１４と、媒体排出部に紙幣ＢＬを搬送する搬送部１５と、内部に紙幣ＢＬが集積される集積空間２４を有し、該集積空間２４を外部と連通させる排出口２７が形成された集積部４０と、排出口２７における一部分を覆い、排出口２７に対して開閉することにより該排出口２７を開放可能に設けられると共に、集積空間２４に放出される紙幣ＢＬと接触するビルストッパ４４を有する中央シャッタ５２と、排出口２７における中央シャッタ５２により覆われない他の部分である開口部４２のうち少なくとも一部分を覆い、中央シャッタ５２とは独立して排出口２７に対して開閉可能に設けられ、排出口２７に対して開閉することにより他の部分である開口部４２のうち少なくとも一部分を開放可能に設けられる外側シャッタ６０とを設ける。【選択図】図９
2018200561.tif 000002
【特許請求の範囲】
【請求項１】
内部に媒体が集積される集積空間を有し、該集積空間を外部と連通させる開口部が形成された集積部と、
前記開口部における一部分を覆い、前記開口部に対して開閉することにより該開口部を開放可能に設けられると共に、前記集積空間に放出される前記媒体と接触するストッパ部を有する第１シャッタと、
前記開口部における前記第１シャッタにより覆われない他の部分のうち少なくとも一部分を覆い、前記第１シャッタとは独立して前記開口部に対して開閉可能に設けられ、前記開口部に対して開閉することにより前記他の部分のうち少なくとも一部分を開放可能に設けられる第２シャッタと
を備えることを特徴とする媒体排出装置。
【請求項２】
前記第２シャッタは、前記第１シャッタが前記開口部における一部分を覆う際に、前記開口部における前記第１シャッタにより覆われない他の一部分を開放することにより、前記集積空間に集積された前記媒体を外部に露出させる
請求項１に記載の媒体排出装置。
【請求項３】
前記第１シャッタは、前記媒体が前記開口部を介し前記集積空間から外部へ移動する際、該媒体の移動経路から退避するよう移動する
請求項２に記載の媒体排出装置。
【請求項４】
前記第１シャッタは、前記媒体が前記開口部を介し前記集積空間から外部へ移動する際に、該媒体に押されることにより、該媒体の移動経路から退避するよう移動する
請求項３に記載の媒体排出装置。
【請求項５】
前記第１シャッタは、前記開口部における搬送幅方向の中央部分に１つ設けられ、
前記第２シャッタは、前記開口部における前記第１シャッタにより覆われない、前記搬送幅方向の両端部分を覆う
請求項１に記載の媒体排出装置。
【請求項６】
前記第２シャッタは、前記開口部における前記搬送幅方向の両端部分を覆うとき、前記第１シャッタと当接することにより、前記第１シャッタを前記開口部における中央部分を覆った状態に保持させる
請求項５に記載の媒体排出装置。
【請求項７】
前記第２シャッタは、前記第１シャッタに対し前記搬送幅方向にオーバーラップすることにより、前記開口部における前記搬送幅方向の両端部分を覆う方向に移動する際に、前記第１シャッタと当接することにより、前記第１シャッタを前記開口部における中央部分を覆う方向に移動させる
請求項５に記載の媒体排出装置。
【請求項８】
前記第２シャッタは、入金取引時には、前記開口部における前記第１シャッタにより覆われない他の部分のうち少なくとも一部分を開放し、出金取引時には、前記開口部における前記第１シャッタにより覆われない他の部分を覆う
請求項１に記載の媒体排出装置。
【請求項９】
前記第１シャッタは、上端部に設けられた第１シャッタ回動軸を支点として回動し、
前記第２シャッタは、上端部に設けられた第２シャッタ回動軸を支点として回動する
請求項１に記載の媒体排出装置。
【請求項１０】
前記第１シャッタと前記第２シャッタとは、外形がほぼ面一に形成される
請求項１に記載の媒体排出装置。
【請求項１１】
媒体を排出する媒体排出部と、
前記媒体排出部に前記媒体を搬送する搬送部と
を具え、
前記媒体排出部は、
内部に前記媒体が集積される集積空間を有し、該集積空間を外部と連通させる開口部が形成された集積部と、
前記開口部における一部分を覆い、前記開口部に対して開閉することにより該開口部を開放可能に設けられると共に、前記集積空間に放出される前記媒体と接触するストッパ部を有する第１シャッタと、
前記開口部における前記第１シャッタにより覆われない他の部分のうち少なくとも一部分を覆い、前記第１シャッタとは独立して前記開口部に対して開閉可能に設けられ、前記開口部に対して開閉することにより前記他の部分のうち少なくとも一部分を開放可能に設けられる第２シャッタと
を備えることを特徴とする媒体処理装置。
【請求項１２】
前記媒体を投入可能な投入部をさらに備え、
前記投入部に投入された前記媒体のうち、前記媒体排出部に排出された前記媒体が、前記第２シャッタにより開放される前記他の部分のうち少なくとも一部分から前記集積空間内にアクセスされて取り出される
請求項１１に記載の媒体処理装置。
【発明の詳細な説明】
【技術分野】
【０００１】
本発明は媒体排出装置及び媒体処理装置に関し、例えば金融機関の窓口に設置され、紙幣に関する取引処理を行う紙幣処理装置（いわゆるテラーマシン）に適用して好適なものである。
【背景技術】
【０００２】
従来、紙幣処理装置としては、金融機関において職員（いわゆるテラー）や顧客等の使用者に操作されることにより、使用者との間で現金の入金や出金等のような種々の取引処理を行うものが広く普及している。紙幣処理装置には、例えば使用者から紙幣を受け取る入金部、使用者に紙幣を引き渡す出金部、紙幣を所定の搬送路に沿って搬送する搬送部、紙幣を鑑別する鑑別部、紙幣を一時的に保留する一時保留部、及び紙幣を収納する紙幣収納庫等が設けられている。
【０００３】
そのような紙幣処理装置においては、出金部において紙幣を一時的に蓄積する空間である集積空間を、ビルストッパが取り付けられたシャッタで覆い、集積空間に放出された紙幣の衝撃をビルストッパにより吸収しステージ上に集積するものがある（例えば、特許文献１参照）。
【０００４】
そのような紙幣処理装置は、入金時において、出金部のシャッタを閉じた状態で入金部から紙幣を内部へ繰り出して計数等を行う入金計数処理を行う。紙幣処理装置は、入金計数処理において、入金可能と判定された入金可能紙幣を一時保留部に搬送して一時的に収納する一方、入金不可能と判定された入金リジェクト紙幣を出金部へ搬送して集積させ、入金計数処理を完了する。その後紙幣処理装置は、入金収納処理へ移行し、シャッタを開き、出金部から入金リジェクト紙幣を使用者に取り出させる。
【先行技術文献】
【特許文献】
【０００５】
【特許文献１】特開２０１６−１２２２３１号公報
【発明の概要】
【発明が解決しようとする課題】
【０００６】
しかしながら、入金計数処理時においては、出金部のシャッタを閉じた状態であるため、入金リジェクト紙幣が出金部へ集積されても、使用者は入金リジェクト紙幣を出金部から取り出すことができなかった。このため、入金リジェクト紙幣と判定された紙幣が、紙幣の破損等ではなく、例えば搬送中に正常な位置からずれてしまった程度の紙幣だったとしても、入金計数処理時において使用者が入金リジェクト紙幣を出金部から取り出して入金部へ再投入することができず、投入した紙幣を全て収納するまでに時間を要し、機能性が低下するおそれがあった。
【０００７】
本発明は以上の点を考慮してなされたもので、機能性を向上し得る媒体排出装置及び媒体処理装置を提案しようとするものである。
【課題を解決するための手段】
【０００８】
かかる課題を解決するため本発明の媒体排出装置においては、内部に媒体が集積される集積空間を有し、該集積空間を外部と連通させる開口部が形成された集積部と、開口部における一部分を覆い、開口部に対して開閉することにより該開口部を開放可能に設けられると共に、集積空間に放出される媒体と接触するストッパ部を有する第１シャッタと、開口部における第１シャッタにより覆われない他の部分のうち少なくとも一部分を覆い、第１シャッタとは独立して開口部に対して開閉可能に設けられ、開口部に対して開閉することにより他の部分のうち少なくとも一部分を開放可能に設けられる第２シャッタとを設けるようにした。
【０００９】
また本発明の媒体処理装置においては、媒体を排出する媒体排出部と、媒体排出部に媒体を搬送する搬送部とを設け、媒体排出部は、内部に媒体が集積される集積空間を有し、該集積空間を外部と連通させる開口部が形成された集積部と、開口部における一部分を覆い、開口部に対して開閉することにより該開口部を開放可能に設けられると共に、集積空間に放出される媒体と接触するストッパ部を有する第１シャッタと、開口部における第１シャッタにより覆われない他の部分のうち少なくとも一部分を覆い、第１シャッタとは独立して開口部に対して開閉可能に設けられ、開口部に対して開閉することにより他の部分のうち少なくとも一部分を開放可能に設けられる第２シャッタとを設けるようにした。
【００１０】
本発明は、集積された媒体を開口部を介し外部に露出させ、該開口部から使用者に指を入れさせて媒体を摘ませて集積部から抜き出させて再投入させることができる。
【発明の効果】
【００１１】
本発明によれば、機能性を向上し得る媒体排出装置及び媒体処理装置を実現できる。
【図面の簡単な説明】
【００１２】
【図１】紙幣処理装置の内部構成を示す略線図である。
【図２】受渡部の構成を示す斜視図である。
【図３】入金処理時の受渡部の構成を示す左側面図である。
【図４】出金処理時の受渡部の構成を示す左側面図である。
【図５】入金処理時の第２出金部の構成を示す左側面図である。
【図６】出金処理時の第２出金部の構成を示す左側面図である。
【図７】両シャッタ閉塞状態の第２出金部の構成を示す斜視図である。
【図８】中央シャッタ閉塞状態且つ外側シャッタ開放状態の第２出金部の構成を示す斜視図である。
【図９】入金リジェクト紙幣の取出（１）を示す斜視図である。
【図１０】入金リジェクト紙幣の取出（２）を示す斜視図である。
【図１１】シャッタの構成を示す斜視図である。
【発明を実施するための形態】
【００１３】
以下、発明を実施するための形態（以下実施の形態とする）について、図面を用いて説明する。
【００１４】
［１．実施の形態］
［１−１．紙幣処理装置の構成］
図１に示すように、第１の実施の形態による紙幣処理装置１は、例えば金融機関に設置される現金処理装置（いわゆるテラーマシン）であり、金融機関の職員や顧客（以下これを使用者と呼ぶ）の操作により、現金（特に紙幣）に関する入金取引や出金取引等の各種取引を行う。以下では、紙幣処理装置１のうち使用者が対峙する正面側を前側とし、その反対を後側とし、前側から見た場合の左及び右をそれぞれ左側及び右側とし、さらに上側及び下側を定義して説明する。
【００１５】
紙幣処理装置１は、上面の前寄りに、使用者との間で紙幣を受け渡す受渡部４が設けられている。受渡部４は、筐体１０の後側部分の上面よりも上方に隆起しており、且つ手前側に対して奥側（後側）が高くなるよう緩やかに傾斜されている。これにより受渡部４は、筐体１０の前側に位置する使用者から容易にアクセスし得るように、すなわち使用者が紙幣の投入や取出を容易に行い得るようにしている。
【００１６】
紙幣処理装置１には、筐体１０の内部に、制御部１１、入金部１２、第１出金部１３、第２出金部１４、搬送部１５、鑑別部１６、一時保留部１７、複数の紙幣収納庫１８及びリジェクト庫１９が設けられている。
【００１７】
制御部１１は、紙幣処理装置１の全体を統括的に制御している。この制御部１１は、図示しないＣＰＵ（Central Processing Unit）を中心に構成され、図示しないＲＯＭやフラッシュメモリ等から所定のプログラムを読み出して実行することにより、入金処理や出金処理等のような種々の処理を行う。また制御部１１は、内部にＲＡＭ（Random Access Memory）、ハードディスクドライブやフラッシュメモリ等でなる記憶部を有しており、この記憶部に種々の情報やプログラム等を記憶させる。
【００１８】
図２に示すように投入部としての入金部１２は、受渡部４の最も後側に配置されており、紙幣を収納する集積空間と、該集積空間から紙幣を１枚ずつに分離する分離部と、該集積空間を外部から遮蔽するシャッタ等を有している。この入金部１２は、集積された紙幣が使用者により集積空間内に投入されると、これを１枚ずつに分離する分離処理を行って繰り出し、搬送部１５（図１）に引き渡す。
【００１９】
第１出金部１３は、受渡部４における前後方向の中央付近に位置している。この第１出金部１３は、図１に示すように上面が開口する箱型の集積部を有している。この集積部の開口が図３及び図４に示す排出口２３となる。また第１出金部１３は、紙幣ＢＬを集積した状態で収納する集積空間２０と、搬送部１５（図１）から受け取った紙幣ＢＬを集積空間２０内へ放出する放出部２１と、所定のアクチュエータにより排出口２３を開閉可能でありビルストッパ４３が取り付けられたシャッタ２２等を有している。この第１出金部１３は、搬送部１５（図１）から紙幣ＢＬが搬送されてくると、シャッタ２２を閉塞した状態で、放出部２１により紙幣ＢＬを集積空間２０内へ放出して集積させた後、該シャッタ２２を開放して使用者に紙幣ＢＬを取り出させる。
【００２０】
第２出金部１４は、図１に示すように上面が開口する箱型の集積部４０を有している。この集積部４０の開口が図３及び図４に示す開口部としての排出口２７となる。また第２出金部１４は、第１出金部１３の集積空間２０、放出部２１及びシャッタ２２とそれぞれ対応する集積空間２４、放出部２５及びシャッタ２６を有している。シャッタ２６は、左右方向に分割されており、このうち左右の両外側に位置する部分が所定のアクチュエータにより一体に開閉され、中央に位置する部分が使用者により手動で開閉されることにより、排出口２７を開閉する（詳しくは後述する）。
【００２１】
図１に示す搬送部１５は、筐体１０内の各部を結ぶ搬送路Ｙに沿って配置された各種ローラやベルト、並びにこれらを駆動するためのギアやモータ等により構成されている。また搬送部１５は、搬送路Ｙの分岐点に図示しない切替器を適宜配置している。この搬送部１５は、制御部１１の制御に基づき、搬送路Ｙに沿って紙幣を搬送すると共に、切替器により該紙幣の搬送先を切り替える。因みに図１では、搬送部１５を構成する部品の一部のみを模式的に示している。
【００２２】
鑑別部１６は、入金部１２の後方下側であって、搬送部１５の搬送路Ｙ上に配置されている。この鑑別部１６は、種々のセンサを有しており、搬送部１５により搬送されてくる紙幣の金種、真偽、正損、走行状態などを基に、取り扱うことのできる取扱可能紙幣であるか否かを鑑別し、その鑑別結果を制御部１１へ送出する。また鑑別部１６は、紙幣における損傷の程度を基に、再利用することができる再利用可能紙幣であるか否かを鑑別し、その鑑別結果を制御部１１へ送出することもできる。
【００２３】
一時保留部１７は、第２出金部１４の下側に配置されており、搬送部１５により搬送されてきた紙幣を内部に一時的に収納して保留し、また保留している紙幣を１枚ずつ搬送部１５へ繰り出す。
【００２４】
各紙幣収納庫１８は、内部に紙幣を集積した状態で収納する集積空間と、搬送部１５から搬送されてきた紙幣ＢＬを該集積空間内へ放出して集積させる放出機構と、集積空間内に集積されている紙幣を１枚ずつに分離して繰り出し搬送部１５に引き渡す分離機構等を有している。この紙幣収納庫１８は、搬送部１５から搬送されてくる紙幣（正常紙幣）を上下方向に重ねて内部に収納し、また収納している紙幣を１枚ずつ繰り出して搬送部１５へ受け渡す。
【００２５】
リジェクト庫１９は、内部に紙幣を収納する集積空間や、搬送部１５から搬送されてきた紙幣を該集積空間内へ放出して集積させる放出機構等を有している。このリジェクト庫１９は、鑑別部１６において再利用不可能と鑑別された紙幣（リジェクト紙幣）が搬送部１５により搬送されてくると、内部に収納する。
【００２６】
かかる構成において紙幣処理装置１は、鑑別部１６による紙幣の鑑別結果等をもとに制御部１１が各部を制御して、後述する入金計数処理、入金収納処理及び出金処理等を行う。
【００２７】
［１−２．出金部の構成］
図３、図４、図５、図６、図７及び図８に示すように、媒体排出装置としての第２出金部１４は、アッパガイド３２、ロアガイド３４及びステージ３８により構成された集積部４０で囲まれた空間が、紙幣ＢＬを一時的に蓄積する空間である集積空間２４を形成している。図３及び図５における第２出金部１４は、入金処理時において集積空間２４に入金リジェクト紙幣を集積させる入金リジェクト紙幣集積取出状態を示し、図４における第１出金部１３及び第２出金部１４とは、出金処理時において集積空間２０及び集積空間２４に出金紙幣を集積させる出金紙幣集積状態を示し、図６における第２出金部１４は、出金処理時において集積空間２４から出金紙幣を取り出させる出金紙幣取出状態を示している。
【００２８】
ロアガイド３４は、側面視が略三角形状であり、集積空間２４の右側面及び左側面を右側壁３４Ｒ及び左側壁３４Ｌにより形成している。ステージ３８は板状であり、ロアガイド３４の内側に設けられ、紙幣ＢＬが集積される。アッパガイド３２は板状であり、ロアガイド３４よりも内側において集積空間２４の上側面を形成している。
【００２９】
放出部２５（図５及び図６）は、ロアガイド３４の後方上部に設けられており、上側に配されたフィードローラ３６及び下側に配されたリバースローラ３７により構成されている。フィードローラ３６及びリバースローラ３７は、図示しない駆動部により図中反時計回り及び時計回りにそれぞれ回転することにより、搬送路Ｙ（図１）から搬送された１枚の紙幣ＢＬを挟持し集積空間２４へ放出する。リバースローラ３７の回転軸には、ゴム等の弾性部材で形成された羽根車５０が設けられている。この羽根車５０は、リバースローラ３７と共に時計回りに回転することにより、集積空間２４へ放出された紙幣ＢＬの後端部分を下方向へ向けて叩き落とし、集積空間２４に集積させる。
【００３０】
第２出金部１４には、アッパガイド３２及びロアガイド３４を覆うようにシャッタ２６が配置され、集積空間２４に紙幣ＢＬが集積される際に発生する音を外部へ漏らさないようにすると共に、紙幣ＢＬが集積空間２４から外部へ飛び出さないように構成されている。シャッタ２６は、左右方向の中央に位置する中央シャッタ５２と、左右方向の両外側に位置する外側シャッタ６０とに分割されており、後述する中央シャッタ閉塞状態且つ外側シャッタ閉塞状態において、外形がほぼ面一となっている。
【００３１】
［１−２−１．中央シャッタの構成］
図７及び図８に示すように中央シャッタ５２は、外側シャッタ６０における後述する外側シャッタ右側部６０Ｒの左方、外側シャッタ左側部６０Ｌの右方、且つ外側シャッタ中央部６０Ｃの前方に配され、外側シャッタ６０とは物理的に独立して別個に形成されている。また中央シャッタ５２は、左右方向の幅がシャッタ２６全体のほぼ３分の１程度となっている。
【００３２】
中央シャッタ５２は、上面が湾曲する形状であり、後端部においてアッパガイド３２と第１シャッタ回動軸としての回動軸４５を介し接続されている。このため中央シャッタ５２はアッパガイド３２に対し、回動軸４５を支点として外側シャッタ６０とは独立して回動可能に構成されている。また中央シャッタ５２の前面には、凹んだ取手５５が形成されており、集積空間２４から紙幣ＢＬを抜き出す際、使用者が該取手５５に指を掛けて該中央シャッタ５２を開放可能となっている。すなわち中央シャッタ５２は、回動することにより、排出口２７の左右方向中央部分を遮断しビルストッパ４４（図５）を放出部２５と対向させる中央シャッタ閉塞状態（図５、図７及び図８）と、排出口２７の左右方向中央部分を開放して集積空間２４からの出金紙幣の取り出し経路から退避することにより紙幣ＢＬを集積空間２４から取り出し可能とする中央シャッタ開放状態（図６）とに遷移する。
【００３３】
また中央シャッタ５２は、左右方向両端部の前端に、両シャッタ閉塞状態（すなわち外側シャッタ閉塞状態）において外側シャッタ６０の前側押付部６１と当接する平面形状の前側当接部５３が形成されている。さらに中央シャッタ５２は、前側当接部５３の後側に、両シャッタ閉塞状態（すなわち外側シャッタ閉塞状態）において外側シャッタ６０の後側押付部６２と当接する前後方向に延設された平面形状の後側当接部５４が形成されている。
【００３４】
中央シャッタ５２は、弾性部材で形成されたスプリングにより、集積空間２４を閉塞させる方向である左側面視で時計回りに付勢されており、図５に示す、ビルストッパ４４がアッパガイド３２と直交する位置においてロアガイド３４に当接している。このスプリングの付勢力は、放出部２５から放出された紙幣ＢＬがビルストッパ４４に衝突した際に該紙幣ＢＬの力を吸収する力以上であると共に、紙幣ＢＬが使用者により集積空間２４から抜き出される際に紙幣ＢＬからビルストッパ４４へ前方に向かって掛かる力以下に設定されている。
【００３５】
［１−２−２．外側シャッタの構成］
外側シャッタ６０は、右側に位置する外側シャッタ右側部６０Ｒと、左側に位置する外側シャッタ左側部６０Ｌと、該外側シャッタ右側部６０Ｒ及び該外側シャッタ左側部６０Ｌとを連結し該外側シャッタ右側部６０Ｒ及び該外側シャッタ左側部６０Ｌよりも前後方向の長さが短い外側シャッタ中央部６０Ｃとにより構成されており、中央シャッタ５２とは物理的に独立して別個に形成されている。また外側シャッタ右側部６０Ｒ、外側シャッタ左側部６０Ｌ及び外側シャッタ中央部６０Ｃは、それぞれの左右方向の幅がシャッタ２６全体のほぼ３分の１程度、すなわち中央シャッタ５２と同程度となっている。
【００３６】
外側シャッタ６０は、上面が湾曲する形状であり、後端部においてアッパガイド３２と回動軸４５よりも後方に設けられた第２シャッタ回動軸としての回動軸４６（図５）を介し接続されている。このため外側シャッタ６０はアッパガイド３２に対し、回動軸４６を支点として中央シャッタ５２とは独立して回動可能に構成されている。また外側シャッタ６０は、図示しない所定のアクチュエータにより開閉可能となっている。すなわち外側シャッタ６０は、回動することにより、排出口２７の左右方向両端部分、すなわち中央シャッタ５２により遮断されていない部分を遮断する外側シャッタ閉塞状態（図７）と、排出口２７の左右方向両端部分を開放して、中央シャッタ５２と右側壁３４Ｒ及び左側壁３４Ｌとの間に集積空間２４と外部とを挿通する開口部４２を形成し、集積された紙幣ＢＬを外部に露出させ、集積空間２４に集積された紙幣ＢＬに対して該開口部４２から使用者が指を入れて摘むことを可能とする外側シャッタ開放状態（図８）とに遷移する。
【００３７】
また外側シャッタ６０は、外側シャッタ右側部６０Ｒの左端部と、外側シャッタ左側部６０Ｌの右端部とに、両シャッタ閉塞状態（すなわち外側シャッタ閉塞状態）において中央シャッタ５２の前側当接部５３と当接する平面形状の前側押付部６１が形成されている。さらに外側シャッタ６０は、前側押付部６１の後側に、両シャッタ閉塞状態（すなわち外側シャッタ閉塞状態）において中央シャッタ５２の後側当接部５４と当接する前後方向に延設された平面形状の後側押付部６２が形成されている。
【００３８】
ロアガイド３４における、外側シャッタ６０の左右方向両端部には、ロック爪回動軸６４Ａ（図７）を支点として回動可能なロック爪６４が設けられている。ロック爪回動軸６４Ａは、中心軸を左右方向に沿わせた円柱状に形成されており、制御部１１の制御に従い、アクチュエータ（図示せず）により回動することにより、ロック爪６４を回動させる。なお図７においては左側のロック爪６４及びロック爪回動軸６４Ａのみを図示している。
【００３９】
ロック爪６４は、外側シャッタ閉塞状態であるとき、すなわち両シャッタ閉塞状態であるとき、ロック爪回動軸６４Ａを支点として矢印Ｒ１方向（すなわち時計回り）に回動することにより、外側シャッタ６０に係合する。これにより第２出金部１４は、外側シャッタ６０を外側シャッタ閉塞状態に保持し、ロックすることができる。
【００４０】
またこの外側シャッタ閉塞状態においては、外側シャッタ６０の前側押付部６１が中央シャッタ閉塞状態の中央シャッタ５２の前側当接部５３をロアガイド３４に向かって押さえている。これにより第２出金部１４は、外側シャッタ６０をロックすると、該外側シャッタ６０で中央シャッタ５２を中央シャッタ閉塞状態に保持してロックでき、両シャッタ閉塞状態とすることができる。
【００４１】
また第２出金部１４は、中央シャッタ５２に後側当接部５４を、外側シャッタ６０に後側押付部６２を形成することにより、中央シャッタ５２の左右方向両端部と、外側シャッタ６０における外側シャッタ右側部６０Ｒの左端部及び外側シャッタ左側部６０Ｌの左端部とを、中央シャッタ閉塞状態及び外側シャッタ閉塞状態から、中央シャッタ開放状態及び外側シャッタ開放状態までの回動軌跡上の何れに位置していても、常に左右方向にオーバーラップさせるようにした。このため第２出金部１４は、中央シャッタ５２が完全には中央シャッタ閉塞状態になっておらず中央シャッタ開放状態と中央シャッタ閉塞状態との間の状態のとき、外側シャッタ６０を閉塞させる方向に回動させるだけで、外側シャッタ６０の後側押付部６２で中央シャッタ５２の後側当接部５４を押し、外側シャッタ６０と共に中央シャッタ５２を閉塞させることができる。これにより第２出金部１４は、中央シャッタ５２が完全に中央シャッタ閉塞状態になっていない状態のまま外側シャッタ６０をロックしてしまい、外側シャッタ６０をロックしているにも関わらずシャッタ２６とロアガイド３４との間に隙間があいてしまう状態を回避できる。
【００４２】
また外側シャッタ６０は、中央シャッタ５２よりも開放方向側に常に位置しているため、外側シャッタ６０が外側シャッタ開放状態となると、中央シャッタ５２は使用者により開閉されることができる。
【００４３】
［１−２−３．ビルストッパの構成］
図５及び図１１に示すように中央シャッタ５２の前側における内側には、放出部２５と対向する位置に、入金リジェクト紙幣を集積空間２４内に留めさせる２本のビルストッパ４４（ビルストッパ４４Ｒ及び４４Ｌ）が設けられている。このビルストッパ４４は、アッパガイド３２と直交してほぼ上下方向に延在する略直方体である。またビルストッパ４４Ｒ及び４４Ｌは、中央シャッタ５２に設けられていることにより、中央シャッタ５２と共に回動するようになっている。以下では、ビルストッパ４４Ｒ及び４４Ｌをまとめてビルストッパ４４とも呼ぶ。
【００４４】
このビルストッパ４４Ｒとビルストッパ４４Ｌとは、紙幣処理装置１が設置される各国で共通の間隔を空けている。この間隔は、紙幣処理装置１において取り扱われる、幅方向の長さが最も短い紙幣ＢＬが放出部２５により放出されても、ビルストッパ４４Ｒとビルストッパ４４Ｌとの間の隙間を通過してしまわない程度に設定されている。ビルストッパ４４における後端部分には、放出部２５から紙幣ＢＬが放出される放出方向に直交する、紙幣ＢＬの幅方向（左右方向）に延在する、断面Ｖ字形状の溝部（図示せず）が上下方向に複数本並んで鋸歯状に刻設されている。
【００４５】
ビルストッパ４４は、中央シャッタ５２との間に、弾性部材で形成された図示しないスプリングが内蔵されている。このためビルストッパ４４は、スプリングにより後方へ付勢されている。
【００４６】
［１−２−４．動作等］
かかる構成において、放出部２５から紙幣ＢＬが集積空間２４に放出されると、該紙幣ＢＬの先端がビルストッパ４４に衝突し、先端が溝部に入り込むことにより、該先端が下方向に垂れ下がることを防止される。このときスプリングが縮むことによりビルストッパ４４が前方へ移動する。これによりビルストッパ４４は、放出部２５から放出された紙幣ＢＬの先端が衝突した際の衝撃を吸収し、紙幣ＢＬが強くバウンドしてしまうことを抑止すると共に、紙幣ＢＬに傷を付けてしまうことを防止する。
【００４７】
また入金取引中において紙幣ＢＬを第２出金部１４から取り出す際、使用者は、中央シャッタ閉塞状態且つ外側シャッタ開放状態である入金リジェクト紙幣集積取出状態（図３、図５及び図８）の第２出金部１４に対し、図９に示すように集積空間２４の前方に形成された開口部４２から該集積空間２４に指を入れて紙幣ＢＬを摘み手前側へ引き出す。このとき紙幣ＢＬの前端が中央シャッタ５２に接触することにより、図１０に示すように、該中央シャッタ５２が手前側へ回動して紙幣ＢＬが抜き出される経路から退避する。このように第２出金部１４は、使用者により抜き出される紙幣ＢＬ自身の動きを利用することにより、中央シャッタ５２を紙幣ＢＬの移動経路から退避させることができる。これにより第２出金部１４は、使用者に紙幣ＢＬを容易に抜き出させることができ、操作性を向上させることができる。また使用者が紙幣ＢＬを外部へ抜き出すことにより、紙幣ＢＬから手前方向への力が掛からなくなると、中央シャッタ５２は、付勢力により回動し中央シャッタ閉塞状態に戻る。
【００４８】
また出金取引中において第２出金部１４は、シャッタ２６（中央シャッタ５２及び外側シャッタ６０）を閉じることにより集積部４０の内部を外部から遮蔽（すなわち閉塞）する状態である両シャッタ閉塞状態（図４及び図７）では、該シャッタ２６により、集積空間２４に集積された紙幣ＢＬの取り出しを制限すると共に外部への紙幣ＢＬの飛び出しを防ぐ。一方で、出金取引中において第２出金部１４は、紙幣ＢＬが抜き出される際にシャッタ２６（中央シャッタ５２及び外側シャッタ６０）を開くことにより集積部４０の内部を外部と連通（すなわち開放）させた状態である両シャッタ開放状態（図６）では、シャッタ２６が回動して紙幣ＢＬの移動経路から退避するため、紙幣ＢＬを取り出し易くすることができる。
【００４９】
［１−３．入金計数処理］
入金取引時において紙幣処理装置１は、使用者により入金取引が選択されると、入金処理を開始する。具体的に紙幣処理装置１は、第１出金部１３のシャッタ２２を閉塞させる（図３）と共に、第２出金部１４の中央シャッタ５２を閉塞させて中央シャッタ閉塞状態とし且つ外側シャッタ６０を開放させて外側シャッタ開放状態することにより第２出金部１４を入金リジェクト紙幣集積取出状態（図３、図５及び図８）とした上で、使用者に紙幣ＢＬを入金部１２の集積空間内へ投入させ、入金計数処理を開始する。紙幣処理装置１は、投入された紙幣ＢＬを入金部１２から１枚ずつ繰り出し鑑別部１６へ搬送する。ここで紙幣処理装置１は、鑑別部１６により正常と判定された入金可能紙幣については一時保留部１７へ搬送して一時的に収納する。一方で、紙幣処理装置１は、入金に適さないと判定された入金リジェクト紙幣については第２出金部１４へ搬送し集積して使用者に返却する。図８に示したように第２出金部１４は外側シャッタ開放状態であり且つ中央シャッタ５２が回動可能であるため、返却された紙幣ＢＬを使用者は開口部４２から指を入れ中央シャッタ５２を回動させて容易に取り出すことができる。使用者は、第２出金部１４から取り出した紙幣ＢＬを入金部１２に再投入する。再投入された紙幣ＢＬは、入金部１２から再度繰り出され、入金可能紙幣と判別されると一時保留部１７へ、入金リジェクト紙幣と判別されると再度第２出金部１４へ搬送される。入金リジェクト紙幣が繰り返し第２出金部１４へ返却されることにより予め設定された返却回数に達すると、紙幣処理装置１は、再投入を中止させて、入金計数処理を終了させる収納確定を使用者に促し、後述する入金収納処理へ移行する。また紙幣処理装置１は、投入された紙幣ＢＬが全て入金可能紙幣であり一時保留部１７へ収納したときも、入金確定を使用者に促し、後述する入金収納処理へ移行する。このように紙幣処理装置１は、入金収納処理に移行する前に入金計数処理中において使用者に入金リジェクト紙幣を返却し、再投入させることができる。
【００５０】
［１−４．入金収納処理］
その後使用者により入金金額が確定されると、紙幣処理装置１は入金収納処理を開始し、一時保留部１７に収納している紙幣ＢＬを鑑別部１６へ搬送する。ここで紙幣処理装置１は、鑑別部１６により正常と判定された収納可能紙幣についてはその金種に応じて、各紙幣収納庫１８へ搬送して保管する。一方紙幣処理装置１は、収納に適さないと判定された収納リジェクト紙幣についてはリジェクト庫１９へ搬送して保管する。
【００５１】
［１−５．出金処理］
出金取引時において紙幣処理装置１は、使用者により出金取引が選択され出金金額等が入力されると、出金処理を開始する。具体的に紙幣処理装置１は、出金金額に応じて紙幣処理装置１は、出金する紙幣ＢＬの金種及び枚数を決定する。また紙幣処理装置１は、第１出金部１３又は第２出金部１４の何れか一方を選択して選択出金部とする。さらに紙幣処理装置１は、第１出金部１３のシャッタ２２を閉塞させる（図４）と共に、第２出金部１４の中央シャッタ５２を閉塞させて中央シャッタ閉塞状態とし且つ外側シャッタ６０を閉塞させて外側シャッタ閉塞状態とする、すなわち両シャッタ閉塞状態である出金紙幣集積状態（図４及び図７）とする。紙幣処理装置１は、出金金額に応じて必要な金種毎の紙幣枚数を認識し、この金種毎の紙幣枚数に応じて各紙幣収納庫１８から紙幣ＢＬを１枚ずつ繰り出して、鑑別部１６へ搬送する。ここで紙幣処理装置１は、鑑別部１６により正常と判定された出金可能紙幣については選択出金部（第１出金部１３又は第２出金部１４）に搬送して集積する。一方紙幣処理装置１は、出金に適さないと判定された出金リジェクト紙幣についてはリジェクト庫１９へ搬送して保管する。紙幣処理装置１は、出金金額分の紙幣ＢＬを選択出金部へ集積し終えると、選択出金部のシャッタ（シャッタ２２又はシャッタ２６）を開放して出金紙幣取出状態とし、紙幣ＢＬを使用者に取り出させる。
【００５２】
［１−６．効果等］
ここで、紙幣ＢＬが入金リジェクト紙幣と判定される原因は、紙幣ＢＬの破損等が原因である場合よりも、例えば搬送中に正常な位置からずれてしまった程度のことが原因である場合の方が多く、そのような場合は、一旦入金リジェクト紙幣と判定されてしまった紙幣を再度鑑別部１６において鑑別すれば、入金可能紙幣となることが多い。このため紙幣処理装置１においては、入金計数処理中において入金リジェクト紙幣を入金部１２へ再投入できることが望ましい。
【００５３】
これに対し紙幣処理装置１は、シャッタ２６を中央シャッタ５２と外側シャッタ６０とに分割し、中央シャッタ５２にビルストッパ４４を設けるようにした。このため紙幣処理装置１は、入金リジェクト紙幣を第２出金部１４の集積空間２４に集積させる際に、中央シャッタ５２を閉塞させることでビルストッパ４４により紙幣ＢＬを集積空間２４内に留めると共に、外側シャッタ６０を開放させることで使用者に開口部４２から指を集積空間２４へ入れさせ入金リジェクト紙幣を摘ませることができる。これにより紙幣処理装置１は、多数枚の紙幣ＢＬの入金処理を連続的に行っている際、入金計数処理中において、入金確定を使用者に行わせる前に、第２出金部１４から入金リジェクト紙幣を使用者に抜き出させて入金部１２へ再投入させることができる。かくして紙幣処理装置１は、使用者が投入したい紙幣ＢＬを全て収納するまでの時間を短縮させ、機能性を向上できる。
【００５４】
ここで仮に、中央シャッタ５２ではなく外側シャッタ６０にビルストッパ４４を設け、入金処理時には中央シャッタ５２を開放させ外側シャッタ６０を閉塞させることにより、搬送方向と、紙幣ＢＬの紙面に直交する方向とに直交する左右方向である搬送幅方向の中央部分に形成された開口部から集積空間２４へ使用者に指を入れさせることも考えられる。しかしながらその場合、ビルストッパ４４同士の間隔が広くなってしまうため、小さい紙幣ＢＬが扱われる国の紙幣ＢＬが大きくスキューするとビルストッパ４４同士の間に紙幣ＢＬが詰まってしまい集積性能が低下してしまう。このため共通の仕様では、紙幣処理装置１が設置される各国の紙幣ＢＬに対応し難くなってしまう。また、共通の仕様で紙幣処理装置１が設置される各国の紙幣ＢＬに対応するために、例えば外側シャッタ右側部６０Ｒの左端部を左方へ広げると共に外側シャッタ左側部６０Ｌの右端部を右方へ広げ、外側シャッタ６０に取り付けられたビルストッパ４４同士の間隔を狭くすると、ビルストッパ４４同士の間隔が狭くなるため、使用者が指を集積空間２４へ入れにくくなってしまう。
【００５５】
これに対し紙幣処理装置１は、中央シャッタ５２にビルストッパ４４を設け、入金処理時には外側シャッタ６０を開放させ中央シャッタ５２を閉塞させることにより、中央シャッタ５２よりも左右外側に形成された開口部４２から集積空間２４へ使用者に指を入れさせるようにした。これにより紙幣処理装置１は、ビルストッパ４４同士の間隔を狭く保ち、共通の仕様で紙幣処理装置１が設置される各国の紙幣ＢＬに対応させることができる。また紙幣処理装置１は、搬送幅方向の幅が比較的狭く保たれた中央シャッタ５２の左右両側に、開口部４２を比較的広く形成できるため、使用者が指を開口部４２から集積空間２４へ入れやすくできる。
【００５６】
また、シャッタとは独立してビルストッパを設け、入金処理時においてはシャッタのみを開放させることによりビルストッパが設けられていない開口部から紙幣ＢＬを抜き出し可能とし、出金処理時においてはシャッタでビルストッパを覆うことにより、紙幣ＢＬが外部へ飛び出さないようにすることも考えられる。しかしながらそのような場合、シャッタが、該シャッタとは別途設けられたビルストッパを覆うため、出金部の外形サイズが大型化してしまう。
【００５７】
これに対し紙幣処理装置１は、中央シャッタ５２にビルストッパ４４を設けるようにした。これにより紙幣処理装置１は、第２出金部１４の外形サイズが大型化してしまうことを抑止できる。
【００５８】
以上の構成によれば紙幣処理装置１は、媒体としての紙幣ＢＬを排出する媒体排出部としての第２出金部１４と、第２出金部１４に紙幣ＢＬを搬送する搬送部１５と、内部に紙幣ＢＬが集積される集積空間２４を有し、該集積空間２４を外部と連通させる開口部としての排出口２７が形成された集積部４０と、排出口２７における一部分を覆い、排出口２７に対して開閉することにより該排出口２７を開放可能に設けられると共に、集積空間２４に放出される紙幣ＢＬと接触するストッパ部としてのビルストッパ４４を有する中央シャッタ５２と、排出口２７における中央シャッタ５２により覆われない他の部分である開口部４２のうち少なくとも一部分を覆い、中央シャッタ５２とは独立して排出口２７に対して開閉可能に設けられ、排出口２７に対して開閉することにより他の部分である開口部４２のうち少なくとも一部分を開放可能に設けられる外側シャッタ６０とを設けるようにした。これにより紙幣処理装置１は、入金計数処理時において、集積された入金リジェクト紙幣を開口部４２を介し外部に露出させ、該開口部４２から使用者に指を入れさせて入金リジェクト紙幣を摘ませて第２出金部１４から抜き出させて入金部１２へ再投入させることができる。
【００５９】
［２．他の実施の形態］
なお上述した実施の形態においては、排出口２７における中央シャッタ５２により覆われない他の部分である開口部４２の全てを外側シャッタ６０で覆う場合について述べた。本発明はこれに限らず、排出口２７における中央シャッタ５２により覆われない他の部分である開口部４２の少なくとも一部分を外側シャッタ６０で覆えば良い。
【００６０】
また上述した実施の形態においては、排出口２７の幅方向中央部分を中央シャッタ５２が覆い、排出口２７の幅方向両端部分を外側シャッタ６０が覆う場合について述べた。本発明はこれに限らず、排出口２７の幅方向の何れかの部分を中央シャッタ５２が覆えば良く、排出口２７における中央シャッタ５２により覆われない他の部分を外側シャッタ６０で覆えば良い。
【００６１】
さらに上述した実施の形態においては、外側シャッタ中央部６０Ｃにより外側シャッタ右側部６０Ｒと外側シャッタ左側部６０Ｌとを連結する場合について述べた。本発明はこれに限らず、外側シャッタ右側部６０Ｒと外側シャッタ左側部６０Ｌとを物理的に分割しても良い。
【００６２】
さらに上述した実施の形態においては、１枚の中央シャッタ５２を設ける場合について述べた。本発明はこれに限らず、中央シャッタ５２を搬送幅方向に２枚以上に分割しても良い。
【００６３】
さらに上述した実施の形態においては、入金処理時において、紙幣ＢＬの前端が中央シャッタ５２に接触することにより該中央シャッタ５２が手前側へ回動して紙幣ＢＬが抜き出される経路から退避する場合について述べた。本発明はこれに限らず、入金処理時において、中央シャッタ５２を使用者が手動で開放させた上で紙幣ＢＬを摘んで抜き出しても良い。また、入金処理時において、中央シャッタ５２が閉塞したまま、使用者が開口部４２から紙幣ＢＬを摘んで抜き出しても良い。
【００６４】
さらに上述した実施の形態においては、中央シャッタ５２は回動軸４５を支点として回動し、外側シャッタ６０は回動軸４６を支点として回動する場合について述べた。本発明はこれに限らず、中央シャッタ５２と外側シャッタ６０とは互いに同じ回動軸を支点として回動しても良い。
【００６５】
さらに上述した実施の形態においては、外側シャッタ６０をアクチュエータにより開閉する場合について述べた。本発明はこれに限らず、外側シャッタ６０が使用者により手動で開閉されても良い。
【００６６】
さらに上述した実施の形態においては、それぞれ上端に設けられた回動軸４６を支点として外側シャッタ６０が、上端に設けられた回動軸４５を支点として中央シャッタ５２が回動する場合について述べた。本発明はこれに限らず、外側シャッタ６０及び中央シャッタ５２の下端に回動軸を設け、該回動軸を支点として外側シャッタ６０及び中央シャッタ５２が回動しても良い。
【００６７】
さらに上述した実施の形態においては、使用者が紙幣ＢＬを集積空間２４から外部へ抜き出すことにより紙幣ＢＬから手前方向への力が掛からなくなると、中央シャッタ５２はスプリングの付勢力により下方向へ回動し、集積空間２４を外部から遮断する位置に戻る場合について述べた。本発明はこれに限らず、中央シャッタ５２が自重により、集積空間２４を外部から遮断する位置に戻っても良い。
【００６８】
さらに上述した実施の形態においては、紙幣処理装置１に第１出金部１３を１個、第２出金部１４を１個設ける場合について述べた。本発明はこれに限らず、１個又は３個以上の任意の個数の出金部を紙幣処理装置１に設けても良い。
【００６９】
さらに上述した実施の形態においては、紙幣処理装置１に入金部１２を１個設ける場合について述べた。本発明はこれに限らず、２個以上の任意の個数の入金部を紙幣処理装置１に設けても良い。
【００７０】
さらに上述した実施の形態においては、媒体としての紙幣ＢＬを集積空間２４に集積して外部から抜き出させる装置に本発明を適用する場合について述べた。本発明はこれに限らず、例えば各種チケットや証券、或いは葉書や封筒等、種々の紙葉状の媒体を集積し、外部から取り出させる種々の装置に適用しても良い。
【００７１】
さらに上述した実施の形態においては、媒体排出部としての第２出金部１４と、搬送部としての搬送部１５と、集積部としての集積部４０と、第１シャッタとしての中央シャッタ５２と、第２シャッタとしての外側シャッタ６０とによって、媒体処理装置としての紙幣処理装置１を構成する場合について述べた。本発明はこれに限らず、その他種々の構成でなる媒体排出部と、搬送部と、集積部と、第１シャッタと、第２シャッタとによって、媒体処理装置を構成しても良い。
【産業上の利用可能性】
【００７２】
本発明は、紙幣等の紙葉状の媒体を集積し、外部から取り出させる種々の装置でも利用できる。
【符号の説明】
【００７３】
１……紙幣処理装置、４……受渡部、１０……筐体、１１……制御部、１２……入金部、１３……第１出金部、１４……第２出金部、１５……搬送部、Ｙ……搬送路、１６……鑑別部、１７……一時保留部、１８……紙幣収納庫、１９……リジェクト庫、２０……集積空間、２１……放出部、２２……シャッタ、２３……排出口、２４……集積空間、２５……放出部、２６……シャッタ、２７……排出口、３２……アッパガイド、３４……ロアガイド、３４Ｒ……右側壁、３４Ｌ……左側壁、３６……フィードローラ、３７……リバースローラ、３８……ステージ、４０……集積部、４２……開口部、４３、４４……ビルストッパ、４５……回動軸、４６……回動軸、５０……羽根車、５２……中央シャッタ、５３……前側当接部、５４……後側当接部、５５……取手、６０……外側シャッタ、６０Ｒ……外側シャッタ右側部、６０Ｌ……外側シャッタ左側部、６０Ｃ……外側シャッタ中央部、６１……前側押付部、６２……後側押付部、６４……ロック爪、６４Ａ……ロック爪回動軸、ＢＬ……紙幣。
【図１】
2018200561.tif 000003
【図２】
2018200561.tif 000004
【図３】
2018200561.tif 000005
【図４】
2018200561.tif 000006
【図５】
2018200561.tif 000007
【図６】
2018200561.tif 000008
【図７】
2018200561.tif 000009
【図８】
2018200561.tif 000010
【図９】
2018200561.tif 000011
【図１０】
2018200561.tif 000012
【図１１】
2018200561.tif 000013